(57)【特許請求の範囲】
【請求項１】
筒壁一部に破断用薄肉部２を周設した上下いずれかの一端面開口３の複数筒状包装容器体４が、左右方向に並立し、かつ隣合う包装容器体相互が破断可能な連結部５で連結された形状をなす連結集合体１を、合成樹脂材で一体成形すると共に、上記各筒状包装容器体内に商品９を収納させて各筒状包装容器体の各開口３を、別に設けた蓋板10で開口不能に閉塞させたことを特徴とする包装容器集合体。
【請求項２】
上記連結集合体１を、該集合体左右一端の筒状包装容器体の外方側壁面へ、破断可能な連結部５を介して吊下げ基板６を付設し、かつ該基板外方側面に連結集合体１吊下げ用の透孔７ないしフックを有する係合部８を付設して形成したことを特徴とする請求項１記載の包装容器集合体。
【請求項３】
上記連結集合体１を、該集合体を形成する各筒状包装容器体の頂面と破断可能な連結部５を介し連結させて各筒状包装容器体上方へ吊下げ基板６を横設し、該吊下げ基板上面には透孔７ないしフック付きの係合部８を付設させて形成したことを特徴とする、請求項１記載の包装容器集合体。
【請求項４】
上記連結集合体１を、透明な合成樹脂材で形成したことを特徴とする、請求項１、２、又は３記載の包装容器集合体。
【発明の詳細な説明】
【０００１】
【発明の属する技術分野】
本発明は包装容器集合体に関する。
【０００２】
【従来の技術】
従来包装容器として、蓋付きの容器の使用、又ブリスターパック、即ち玩具等の商品を厚紙上へ載置させた状態でその玩具等の上面を合成樹脂製の透明フィルムで覆い、かつその透孔フィルムの周縁部を玩具等周囲の台紙部分上面へ貼着させ、その台紙を吊下げることで該台紙に付設された玩具等の商品を店頭に展示することが行われている。
【０００３】
【発明が解決しようとする課題】
上記包装容器ないしブリスターパックは個別化されているから複数の展示には不適当であり、又蓋付き包装容器の場合は収納商品の取出しが可能であるため、展示時における商品の損傷のおそれもある。
【０００４】
本発明は上記包装容器を個別分離可能な集合体として形成することで、店頭での展示効果を高めると共にその包装容器内から収納商品を取出すと再収納がほぼ不能となるようにすることで収納商品に対する悪戯等を防止できるよう設けたものである。
【０００５】
【課題を解決するための手段】
第１の手段として筒壁一部に破断用薄肉部２を周設した上下いずれかの一端面開口３の複数筒状包装容器体４が、左右方向に並立し、かつ隣合う包装容器体相互が破断可能な連結部５で連結された形状をなす連結集合体１を、合成樹脂材で一体成形すると共に、上記各筒状包装容器体内に商品９を収納させて各筒状包装容器体の各開口３を、別に設けた蓋板10で開口不能に閉塞させた。
【０００７】
第２の手段として、上記第１の手段を有すると共に上記連結集合体１を、該集合体左右一端の筒状包装容器体の外方側壁面へ、破断可能な連結部５を介して吊下げ基板６を付設し、かつ該基板外方側面に連結集合体１吊下げ用の透孔７ないしフックを有する係合部８を付設して形成した。
【０００８】
第３の手段として、上記第１の手段を有すると共に上記連結集合体１を、該集合体を形成する各筒状包装容器体の頂面と破断可能な連結部５を介し連結させて各筒状包装容器体上方へ吊下げ基板６を横設し、該吊下げ基板上面には透孔７ないしフック付きの係合部８を付設させて形成した。
【０００９】
第４の手段として、上記第１、第２、又は第３の手段を有すると共に上記連結集合体１を、透明な合成樹脂材で形成した。
【００１０】
【発明の実施の形態】
以下図１が示す第１実施形態について説明すると、１は連結集合体であり、該集合体は、筒壁一部に破断用薄肉部２を周設した、下端面だけ開口３の筒状包装容器体４を、左右方向へ並立し、かつ隣合う筒状包装容器体相互を破断可能な連結部５で連結した形状をなす。該集合体は合成樹脂材により一体成形する。図示例にあっては連結集合体右端筒状包装容器体の右側面へ、上記容器体をほぼ同長とした吊下げ基板６を破断可能な連結部５を介して連結し、該基板の上下方向中間の右側面には吊下げ用透孔７付きの係合部８を付設している。その係合部からはフックを突出させてもよい。但し該係合部付き吊下げ基板６は必ずしも必要としない。上記集合体の各容器体内へ適宜商品、例えば棒状口紅容器等の商品９および納書等を入れ、かつ別に設けた蓋板10で開口３を閉塞する。該蓋板は開口不能に固着するものとし、例えば超音波接着等することが望ましい。その蓋板はシール状のものでもよい。
【００１１】
上記連結集合体１の使用は、そのまま店頭等に載置させてもよく、吊下げ基板６を付設した場合は該吊下げ基板をハンガーとして店内に吊下げてもよい。  図３は第２実施形態を示す。該実施形態の場合は、既述のように形成した連結集合体１の筒状包装容器体４の各頂面と破断可能な連結部５を介し連結させて各筒状包装容器体上方へ吊下げ基板６を横設し、該吊下げ基板上面に透孔７付きの係合部８を付設して形成している。
【００１２】
該実施形態の場合も集合体を形成する各筒状包装容器体内へ商品を収納させた後、別に設けた蓋板10を固着させて筒状包装容器体開口３を閉塞し、かつ展示する。
【００１３】
図４は本発明の参考例を示す。該実施形態の場合は各筒状包装容器体４筒壁に破断用薄肉部を有しない。該連結集合体は、下端だけを開口し、かつ下端に外向きフランジ11を付設した複数の筒状包装容器体４が、上記外向きフランジ外面を接して左右方向へ並立し、かつ外向きフランジ当接部分を破断可能な連結部５として連結する形状とし、該連結集合体１を合成樹脂材で一体成形している。上記破断可能な連結部５は外向きフランジ連結部分以外の部分に、つまり各筒状包装容器体の筒壁相互を連結するものであってもよい。
【００１４】
上記連結集合体１の各筒状包装容器体４内へは適宜商品を収納させ、又上記外向きフランジ内周が形成する開口を、それ等外向きフランジの下面へ摘み片12付きシートラベル13を剥離可能に加熱接着ないし高周波接着等して閉塞する。それ等加熱ないし高周波接着は、シートラベル剥離後、再貼着により再閉塞することが困難であるようにするものである。
【００１５】
上記図４が示す実施形態の連結集合体１にも、図１、図３が示すように吊下げ基板６を付設することが出来る。但し図１のように左右いずれか一端の筒状包装容器体４の外側面へ吊下げ基板を付設する場合は、各容器体上下方向の複数箇所において図１が示すような破断可能な連結部５を必要とする。
【００１６】
既述各実施形態における連結集合体１は、透明の合成樹脂製とするがよく、このようにすることで各筒状包装容器体内に収納された商品９を見ることが出来る便利がある。
【００１７】
上記連結集合体展示の場合は、集合体のままで行えばよく、販売の場合は連結部５破断により筒状包装容器体４を個別化して行う。消費者は筒状包装容器体購入後、図２が示すように破断用薄肉部２を破断し、図４実施形態の場合は摘み片12利用によりシートラベル13を剥離して商品９を取り出せばよい。
【００１８】
【発明の効果】
本発明は既述構成とするもので、請求項１記載のように構成することで、筒状包装容器体４を複数、合成樹脂材で一体成形するからコストを廉価とすることが出来、包装容器を集合体として展示できるから展示効果を高めることが出来、又包装容器内商品９の取出しは筒壁一部に周設した破断用薄肉部２を破断して行うこととなるため、店頭等での展示時に商品を悪戯されるおそれがない。
【００１９】
請求項２および３のようにすることで、連結集合体１を吊下げ用透孔７ないしフック利用で店内等に吊下げできる。
【００２０】
請求項４のようにすることで、筒状包装容器体内の商品９を見ることが出来、展示効果を高め、かつ購買意欲を刺激することが出来る。
【図面の簡単な説明】
【図１】 本発明包装容器集合体の斜視図である。
【図２】 図１包装容器体の容器を外し、該容器内商品取出しを示す斜視図である。
【図３】 第２実施形態で示す包装容器集合体の斜視図である。
【図４】 本発明の参考例に係る包装容器集合体の斜視図である。
【符号の説明】
１…連結集合体       ２…破断用薄肉部
４…筒状包装容器体   ５…連結部
６…吊下げ基板       ９…商品
10…基板             13…シートラベル
【図１】
0003961210.tif 000002
【図２】
0003961210.tif 000003
【図３】
0003961210.tif 000004
【図４】
0003961210.tif 000005